(57)【要約】【課題】画面共有において、共有先の画面解像度に応じて共有領域を調整する。【解決手段】表示部を備え、通信端末１０と画面共有を行う画面共有端末５０は、前記表示部の一部を、共有を行う共有領域として定義し、通信端末１０における表示可能領域の幅及び高さを取得し、前記定義された共有領域を、前記取得した幅及び高さと同一又は近しい比率に調整し、前記調整した共有領域に表示された画面データを、前記通信端末に送信する。【選択図】図１
2015064841.tif 000002
【特許請求の範囲】
【請求項１】
一以上の通信端末と通信可能に接続され、表示部を備えた画面共有端末であって、
前記表示部の一部を、共有を行う共有領域として定義する共有領域定義手段と、
前記通信端末における表示可能領域の幅及び高さを取得する共有先寸法取得手段と、
前記定義された共有領域を、前記取得した幅及び高さと同一又は近しい比率に調整する共有領域調整手段と、
前記調整した共有領域に表示された画面データを、前記通信端末に送信する画面共有手段と、
を備えることを特徴とする画面共有端末。
【請求項２】
前記共有領域の調整は、前記画面データの送信よりも前に、前記共有領域の定義と同時に行われることを特徴とする請求項１に記載の画面共有端末。
【請求項３】
前記調整を行う前の、前記共有領域の幅及び高さを取得する共有元寸法取得手段と、を備え、
前記通信端末における表示可能領域の幅及び高さの比率について、当該幅と高さを入れ替えた場合に、前記取得した前記共有領域の幅及び高さの比率により近くなる場合には、前記調整において、当該幅と高さを入れ替えて扱うとともに、前記画面共有手段において、九十度回転させた画面を送信することを特徴とする請求項１に記載の画面共有端末。
【請求項４】
前記共有領域は、前記画面共有端末上で実行される一のアプリケーションの表示領域として定義されるものであって、
前記アプリケーションによる前記表示領域についての制約条件を取得する領域制約取得手段と、
前記取得した制約条件下において、前記取得した前記通信端末における表示可能領域の幅及び高さの比率に最も近しい幅及び高さを算出する最適寸法算出手段と、
を備え、前記共有領域を前記算出した幅及び高さに調整することを特徴とする請求項１乃至４のいずれか一項に記載の画面共有端末。
【請求項５】
一以上の通信端末と通信可能に接続され、表示部を備えた画面共有端末が実行する画面共有方法であって、
前記表示部の一部を、共有を行う共有領域として定義するステップと、
前記通信端末における表示可能領域の幅及び高さを取得するステップと、
前記定義された共有領域を、前記取得した幅及び高さと同一又は近しい比率に調整するステップと、
前記調整した共有領域に表示された画面データを、前記通信端末に送信するステップと、
を備えることを特徴とする画面共有方法。
【請求項６】
一以上の通信端末と通信可能に接続され、表示部を備えた画面共有端末に、
前記表示部の一部を、共有を行う共有領域として定義するステップ、
前記通信端末における表示可能領域の幅及び高さを取得するステップ、
前記定義された共有領域を、前記取得した幅及び高さと同一又は近しい比率に調整するステップ、
前記調整した共有領域に表示された画面データを、前記通信端末に送信するステップ、
を実行させることを特徴とする画面共有端末用プログラム。
【発明の詳細な説明】
【技術分野】
【０００１】
本発明は、画面共有において共有先の画面サイズに応じて共有領域を調整する画面共有端末、画面共有方法、及び画面共有端末用プログラムに関する。
【背景技術】
【０００２】
近年、家庭用や業務用の電化製品においては、機能の高度化、複雑化が進み、ユーザが搭載されている全ての機能を熟知するには、時間がかかることが多い。例えば、ユーザが所望する機能が電化製品に搭載されていても、機能を呼び出す方法が分からなかったり、適切でない設定を行ってしまったりすることで、ユーザがその機能を活用することができないといった問題が生じている。
【０００３】
このような課題に対して、ユーザの端末に対して、システムからリモートサポート（遠隔保守）を行うことで、ユーザの端末を遠隔から設定したり、遠隔からユーザを指導する方法が知られている。例えば、特許文献１では、サポート対象となる各クライアントの画面情報をサーバ側で取得し、サーバでこの画面情報を、常時、一覧表示することで、クライアントに対するサポート及び監視の効率を向上させることが開示されている。
【先行技術文献】
【特許文献】
【０００４】
【特許文献１】特開２００３−６０６２号公報
【特許文献２】特開２０１１−０３４３１５号公報
【発明の概要】
【発明が解決しようとする課題】
【０００５】
一方、リモートサポートを行う端末から、サポートを受けるユーザ端末にリモートログイン等をして、リアルタイムで画面共有をすることで、リモート操作を行うことが知られている。すなわち、オペレータ端末に、ユーザ端末に表示されている画面を、逐次、転送して表示するとともに、オペレータ端末を操作すると、あたかも、ユーザ端末を操作しているかのように、入力操作（リモート操作）を行うことが可能となる。さらに、特許文献２では、携帯電話機を利用して、リモートサポートを行う方法が開示されている。
【０００６】
ところで、今後は携帯端末の高機能化に伴い、携帯端末のような解像度が低い端末と、従来の高解像度の端末間で画面共有を行うケースが増加すると考えられる。しかしながら、特許文献１に記載の方法では解像度が低い端末の画面を高い端末に送信する場合には効果的であるが、その逆の場合には有効な解像度が保持できない可能性がある。
【０００７】
そこで本発明の発明者は、画面共有を行うに際して画面共有先の端末の表示可能領域の幅及び高さを取得し、共有領域の幅及び高さの比率をそれに応じて調整することで、両端末の解像度に差がある場合の画面共有を有効に行うことが可能な点に着目した。
【０００８】
本発明は、これらの課題に鑑み、画面共有を行うに際して、画面共有先の端末の表示可能領域の幅及び高さを取得し、それに基づいて共有領域の幅及び高さの比率を調整することで、両端末の解像度の差を有効に解消する画面共有端末、画面共有方法、及び画面共有端末用プログラムを提供することを目的とする。
【課題を解決するための手段】
【０００９】
本発明では、以下のような解決手段を提供する。
【００１０】
第１の特徴に係る発明は、一以上の通信端末と通信可能に接続され、表示部を備えた画面共有端末であって、
前記表示部の一部を、共有を行う共有領域として定義する共有領域定義手段と、
前記通信端末における表示可能領域の幅及び高さを取得する共有先寸法取得手段と、
前記定義された共有領域を、前記取得した幅及び高さと同一又は近しい比率に調整する共有領域調整手段と、
前記調整した共有領域に表示された画面データを、前記通信端末に送信する画面共有手段と、
を備えることを特徴とする画面共有端末を提供する。
【００１１】
第１の特徴に係る発明によれば、一以上の通信端末と通信可能に接続され、表示部を備えた画面共有端末は、前記表示部の一部を、共有を行う共有領域として定義し、前記通信端末における表示可能領域の幅及び高さを取得し、前記定義された共有領域を、前記取得した幅及び高さと同一又は近しい比率に調整し、前記調整した共有領域に表示された画面データを、前記通信端末に送信する。
【００１２】
第１の特徴に係る発明は、画面共有端末のカテゴリであるが、画面共有方法、及び画面共有端末用プログラムであっても、カテゴリに応じた同様の作用、効果を奏する。
【００１３】
第２の特徴に係る発明は、前記共有領域の調整は、前記画面データの送信よりも前に、前記共有領域の定義と同時に行われることを特徴とする第１の特徴に係る発明である画面共有端末を提供する。
【００１４】
第２の特徴に係る発明によれば、第１の特徴に係る発明である画面共有端末において、前記共有領域の調整は、前記画面データの送信よりも前に、前記共有領域の定義と同時に行われる。
【００１５】
第３の特徴に係る発明は、前記調整を行う前の、前記共有領域の幅及び高さを取得する共有元寸法取得手段と、を備え、
前記通信端末における表示可能領域の幅及び高さの比率について、当該幅と高さを入れ替えた場合に、前記取得した前記共有領域の幅及び高さの比率により近くなる場合には、前記調整において、当該幅と高さを入れ替えて扱うとともに、前記画面共有手段において、九十度回転させた画面を送信することを特徴とする第１の特徴に係る発明である画面共有端末を提供する。
【００１６】
第３の特徴に係る発明によれば、第１の特徴に係る発明である画面共有端末は、前記調整を行う前の、前記共有領域の幅及び高さを取得し、前記通信端末における表示可能領域の幅及び高さの比率について、当該幅と高さを入れ替えた場合に、前記取得した前記共有領域の幅及び高さの比率により近くなる場合には、前記調整において、当該幅と高さを入れ替えて扱うとともに、前記画面共有手段において、九十度回転させた画面を送信する。
【００１７】
第４の特徴に係る発明は、前記共有領域は、前記画面共有端末上で実行される一のアプリケーションの表示領域として定義されるものであって、
前記アプリケーションによる前記表示領域についての制約条件を取得する領域制約取得手段と、
前記取得した制約条件下において、前記取得した前記通信端末における表示可能領域の幅及び高さの比率に最も近しい幅及び高さを算出する最適寸法算出手段と、
を備え、前記共有領域を前記算出した幅及び高さに調整することを特徴とする第１から第３のいずれかの特徴に係る発明である画面共有端末を提供する。
【００１８】
第４の特徴に係る発明によれば、第１から第３のいずれかの特徴に係る発明である画面共有端末において、前記共有領域は、前記画面共有端末上で実行される一のアプリケーションの表示領域として定義されるものであって、第１から第３のいずれかの特徴に係る発明である画面共有端末は、前記アプリケーションによる前記表示領域についての制約条件を取得し、前記取得した制約条件下において、前記取得した前記通信端末における表示可能領域の幅及び高さの比率に最も近しい幅及び高さを算出し、前記共有領域を前記算出した幅及び高さに調整する。
【００１９】
第５の特徴に係る発明は、一以上の通信端末と通信可能に接続され、表示部を備えた画面共有端末が実行する画面共有方法であって、
前記表示部の一部を、共有を行う共有領域として定義するステップと、
前記通信端末における表示可能領域の幅及び高さを取得するステップと、
前記定義された共有領域を、前記取得した幅及び高さと同一又は近しい比率に調整するステップと、
前記調整した共有領域に表示された画面データを、前記通信端末に送信するステップと、
を備えることを特徴とする画面共有方法を提供する。
【００２０】
第６の特徴に係る発明は、一以上の通信端末と通信可能に接続され、表示部を備えた画面共有端末に、
前記表示部の一部を、共有を行う共有領域として定義するステップ、
前記通信端末における表示可能領域の幅及び高さを取得するステップ、
前記定義された共有領域を、前記取得した幅及び高さと同一又は近しい比率に調整するステップ、
前記調整した共有領域に表示された画面データを、前記通信端末に送信するステップ、
を実行させることを特徴とする画面共有端末用プログラムを提供する。
【発明の効果】
【００２１】
本発明によれば、画面共有を行うに際して、画面共有先の端末の表示可能領域の幅及び高さを取得し、それに基づいて共有領域の幅及び高さの比率を調整することで、両端末の解像度の差を有効に解消する画面共有端末、画面共有方法、及び画面共有端末用プログラムを提供することが可能となる。
【図面の簡単な説明】
【００２２】
【図１】図１は、本発明の好適な実施形態である画面共有システム１の概要図である。
【図２】図２は、画面共有システム１の全体構成図である。
【図３】図３は、通信端末１０、画面共有端末５０の機能ブロックと各機能の関係を示す図である。
【図４】図４は、通信端末１０、画面共有端末５０が実行する画面共有領域調整処理のフローチャート図である。
【図５】図５は、通信端末１０、画面共有端末５０が実行する最適寸法算出処理のフローチャート図である。
【図６】図６は、画面共有端末５０が共有領域の調整を行わなかった場合の通信端末１０の画面表示の一例である。
【図７】図７は、画面共有端末５０が共有領域の調整を行なった場合の通信端末１０の画面表示の一例である。
【図８】図８は、画面共有端末５０が幅及び高さを入れ替えて共有領域の調整を行なった場合の通信端末１０の画面表示の一例である。
【発明を実施するための形態】
【００２３】
以下、本発明を実施するための最良の形態について図を参照しながら説明する。なお、これはあくまでも一例であって、本発明の技術的範囲はこれに限られるものではない。
【００２４】
［画面共有システム１の概要］
図１は、本発明の好適な実施形態である画面共有システム１の概要を説明するための図である。この図１に基づいて、画面共有システム１の概要を説明する。
【００２５】
画面共有システム１は、通信端末１０と、画面共有端末５０によって構成される。通信端末１０と、画面共有端末５０は、リモートサポートを行う等の理由で画面が共有されている状態にある。ただし、画面共有端末５０は画面全体を無条件に共有するのでなく、画面の一部の領域として、特定のアプリケーションのウィンドウを共有しているものとする。
【００２６】
すなわち、画面共有端末５０の表示部に表示されるアプリケーションウィンドウは、画面データとして取得され、通信端末１０に送信され、通信端末１０の表示部に表示されている（ステップＳ０１）。
【００２７】
しかしながら、図１のように、画面共有端末５０と通信端末１０の表示部の解像度が、大きさが異なる上に縦横比が異なる場合がある。このときは、大きい画面の縦幅より長い横幅が、小さい画面の立て幅より短い横幅に縮小されるとき、縦方向の解像度が非常に小さくなってしまい、文字が潰れて読めなくなってしまうといった問題があった。
【００２８】
そこで、本発明において、画面共有端末５０は、通信端末１０から、画面共有を開始した後、あるいは開始する前に、表示可能領域の解像度を取得する（ステップＳ０２）。ここで、この解像度は画面全体のものであってもよいが、画面共有に利用可能な部分の解像度であることがより望ましい。
【００２９】
次に、画面共有端末５０は受信した解像度の縦横比に応じて、その比率に近くなるように共有領域、すなわちウィンドウのサイズを調整する（ステップＳ０３）。
【００３０】
その後、画面共有端末５０が画面共有を行うと、共有領域は通信端末１０の縦横比に近くなっているので、通信端末１０の表示部はほぼ全てが使われることとなり、縮小率を緩和する事が出来る。
【００３１】
以上が、画面共有システム１の概要である。
【００３２】
［画面共有システムのシステム構成］
図２は、画面共有システム１の全体構成図である。画面共有システム１において、通信端末１０と、画面共有端末５０は、公衆回線網５を介して通信可能に接続されている。
【００３３】
画面共有端末５０は、通信部と表示部を備えた一般的な情報端末であってよく、後述する機能を備える情報機器である。画面共有端末５０は、例えば、携帯電話、スマートフォン、ネットブック端末、スレート端末、電子書籍端末、電子辞書端末、携帯型音楽プレーヤ、携帯型コンテンツ再生・録画プレーヤといった携帯型端末であってもよいし、パーソナルコンピュータといった据え置き型の端末であってもよい。
【００３４】
通信端末１０は、同様に通信部と表示部を備えた一般的な端末であってよい。
【００３５】
［各機能の説明］
図３は、通信端末１０、画面共有端末５０の機能ブロックと各機能の関係を示す図である。
【００３６】
通信端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等を備える。
【００３７】
さらに、通信端末１０は、表示部１３として、制御部で制御したデータや画像、音声を出力表示する出力部を備える。
【００３８】
通信端末１０において、制御部１１が所定のプログラムを読み込むことで、通信部１２と協働して、表示可能領域情報送信モジュール１４を実現する。また、通信端末１０において、制御部１１が所定のプログラムを読み込むことで、通信部１２、及び表示部１３と協働して、画面共有モジュール１５を実現する。
【００３９】
画面共有端末５０は、同様に、制御部５１として、ＣＰＵ，ＲＡＭ，ＲＯＭ等を備え、通信部５２として、例えば、ＩＥＥＥ８０２．１１に準拠したＷｉＦｉ対応デバイスを備える（有線であってもよい）。また、画面共有端末５０は表示部５３として、制御部で制御したデータや画像、音声を出力表示する出力部を備える。
【００４０】
画面共有端末５０において、制御部５１が所定のプログラムを読み込むことで、通信部５２と協働して、共有先寸法取得モジュール５４を実現する。また、画面共有端末５０において、制御部５１が所定のプログラムを読み込むことで、通信部５２、及び表示部５３と協働して、画面共有モジュール５５を実現する。また、画面共有端末５０において、制御部５１が所定のプログラムを読み込むことで、表示部５３と協働して、共有領域定義モジュール５６、共有領域調整モジュール５７、共有元寸法取得モジュール５８、領域制約取得モジュール５９、最適寸法算出モジュール６０を実現する。
【００４１】
［画面共有領域調整処理］
図４は、通信端末１０、画面共有端末５０が実行する画面共有領域調整処理のフローチャートである。上述した各装置のモジュールが行う処理について、本処理にて併せて説明する。
【００４２】
初めに、画面共有端末５０の共有領域定義モジュール５６は、画面共有端末５０の表示部のうち、画面共有を行う領域の定義を行う（ステップＳ１１）。共有領域は、表示部を越えない範囲で任意の大きさを持った領域が指定されてもよいし、アプリケーションウィンドウと関連付けられ、当該アプリケーションウィンドウの位置や大きさが変化した際に、それにあわせて自動で変化してもよい。
【００４３】
次に、画面共有端末５０の画面共有モジュール５５は、定義されている共有領域の表示内容をデータとして取得し、通信端末１０に送信する（ステップＳ１２）。通信端末１０の画面共有モジュール１５は、これを受信して、表示部に表示する（ステップＳ１３）。
【００４４】
次に、通信端末１０の表示可能領域情報送信モジュール１４は、通信端末１０が受信した画面データを表示可能な領域の幅及び高さを、画面共有端末５０に送信する（ステップＳ１４）。この送信は、画面共有端末５０の要求に基づいて行われてよい。画面共有端末５０の共有先寸法取得モジュール５４は、表示可能領域の幅及び高さを受信する（ステップＳ１５）。
【００４５】
次に、画面共有端末５０の共有元寸法取得モジュール５８は、現在定義されている共有領域の幅及び高さを取得する（ステップＳ１６）。
【００４６】
そして、画面共有端末５０の共有領域調整モジュール５７は、受信した通信端末１０の表示可能領域の幅及び高さの比率と同一、又はそれに近くなるように、表示領域の幅及び高さを変更する（ステップＳ１７）。
【００４７】
図６は、画面共有端末５０が共有領域の調整を行わなかった場合の通信端末１０の画面表示の一例である。図６において、表示可能領域６１は灰色で示され、共有された画面データ６２は、横幅にあわせて表示されているため、図形６３は非効率に縮小され、何も表示されていない余剰領域６４は広範に渡っている。
【００４８】
図７は、画面共有端末５０が共有領域の調整を行なった場合の通信端末１０の画面表示の一例である。図７においても、表示可能領域７１は灰色で示されているが、共有された画面データ７２は、表示可能領域７１の比率と近くなるように調整されているため、図形７３は可能な限り大きく表示され、何も表示されていない余剰領域７４は非常に狭くなっている。
【００４９】
ここで、調整は、最も単純には受信した幅及び高さと全く同じ大きさにすることが考えられる。また、例えば、初めに全く同じ大きさに調整された後で、ユーザがそれを参考に実際の共有領域を手動で変更してもよい。
【００５０】
加えて、先ほど取得した現在の共有領域を九十度回転させた場合、すなわち幅と高さを入れ替えた時に、受信した表示可能領域の幅及び高さの比率により近くなる場合には、通信端末１０を回転させたものとみなして、幅と高さを入れ替えて上記の調整を行ってよい。
【００５１】
図８は、画面共有端末５０が幅及び高さを入れ替えて共有領域の調整を行なった場合の通信端末１０の画面表示の一例である。図８においても、表示可能領域８１は灰色で示されているが、共有された画面データ８２は、九十度回転した表示可能領域８１の比率と近くなるように調整されているため、図形８３は可能な限り大きく表示され、何も表示されていない余剰領域８４は非常に狭くなっている。加えて、画面データ８２の縦横比は、図７と比べて、より図６、すなわち調整を行わなかった場合に近いまま画面の共有がなされている。
【００５２】
最後に、画面共有端末５０の画面共有モジュール５５は、調整後の共有領域で画面共有を開始し（ステップＳ１８）、通信端末１０の画面共有モジュール１５は、画面データを受信して表示部に表示する（ステップＳ１９）。その後も、通信端末１０の表示可能領域が更新される等、変更が行われた場合には、画面共有領域の調整を繰り返し行ってもよい。
【００５３】
なお、以上の共有領域の調整は、初めの画面データの送信を省略し、一切の画面共有を行わない状態で、先に領域の調整を完了させてもよい。以上が、画面共有領域調整処理の手順である。
【００５４】
［最適寸法算出処理］
図５は、通信端末１０、画面共有端末５０が実行する最適寸法算出処理のフローチャートである。上述した各装置のモジュールが行う処理について、本処理にて併せて説明する。
【００５５】
はじめに、画面共有端末５０の共有領域定義モジュール５６は、共有領域として、一のアプリケーションウィンドウを特定する（ステップＳ２１）。今後、このアプリケーションウィンドウが移動、拡大、縮小された場合には、共有領域も同様に移動、拡大、縮小される。
【００５６】
次に、通信端末１０の表示可能領域情報送信モジュール１４は、画面共有のための表示可能領域の幅及び高さを、画面共有端末５０に送信する（ステップＳ２２）。画面共有端末５０の共有先寸法取得モジュール５４は、表示可能領域の幅及び高さを受信する（ステップＳ２３）。
【００５７】
次に、画面共有端末５０の領域制約取得モジュール５９は、アプリケーションウィンドウの大きさに関わる制約条件を取得する（ステップＳ２４）。制約条件とは、例えば、幅や高さの大きさが固定されていたり、最小値や最大値が設定されていたりといった、ウィンドウが取り得る幅と高さの組み合わせを制限する条件である。
【００５８】
なお、この制約条件は、例えば式の形で取得してもよいし、幅と高さの組み合わせを引数として、その可否を返す関数の形で取得してもよい。
【００５９】
次に、画面共有端末５０の最適寸法算出モジュール６０は、制約条件下で最も通信端末１０の表示可能領域の幅及び高さの比率に近くなるような、共有領域の幅及び高さを算出する（ステップＳ２５）。これは単純な最大化問題として解くことができる。
【００６０】
なお、通信端末１０を九十度回転した場合の、表示可能領域の幅と高さを入れ替えた比率に対しても、同様に最も比率が近くなるような共有領域の幅及び高さを算出してよい。その後、得られた二つの幅及び高さについて、より目的の比率に近づけられた方を、最適な幅及び高さとして扱ってよい。
【００６１】
そして、画面共有端末５０の共有領域調整モジュール５７は、算出した、制約条件下における最も比率が近しい最適な幅及び高さにアプリケーションウィンドウのサイズを変更することで、共有領域を調整する（ステップＳ２６）。
【００６２】
最後に、画面共有端末５０の画面共有モジュール５５は、調整後の共有領域で画面共有を開始し（ステップＳ２７）、通信端末１０の画面共有モジュール１５は、画面データを受信して表示部に表示する（ステップＳ２８）。
【００６３】
以上が、画面共有領域効率化処理の手順である。なお、上記の手順において、通信端末１０の表示可能領域の幅及び高さを入れ替えて共有領域の調整を行った際は、画面データの送信時に、画面データを九十度回転させる必要がある点に注意する。
【００６４】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６５】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６６】
１  画面共有システム、５  公衆回線網、１０  通信端末、５０  画面共有端末
【図１】
2015064841.tif 000003
【図２】
2015064841.tif 000004
【図３】
2015064841.tif 000005
【図４】
2015064841.tif 000006
【図５】
2015064841.tif 000007
【図６】
2015064841.tif 000008
【図７】
2015064841.tif 000009
【図８】
2015064841.tif 000010